(57)【要約】  サーフボードなどの本体に対して取り外し可能にフィンを取付けるフィンボックスであって、フィンはこれに組み合わされたフィンタブを備える。該フィンボックスは、前記サーフボード中に差し込まれて保持されるのに適したものとなっており、また、複数の形状のフィンタブを受け入れて取り外し可能に保持するのに適したもので、これにより、前記フィンを、前記サーフボードに対して固定した位置関係にて取り外し可能に保持することができる。ここで、さらには、前記フィンボックスの第１面についての長さ及び幅が、前記フィンの全体を支えるのに充分であって、前記フィンのいずれの部分もサーフボード等の本体に接触しない。
2008534337.tif 000002
【特許請求の範囲】
【請求項１】
サーフボードなどの本体に対して取り外し可能にフィンを取付ける取付け構造であって、前記フィンはフィンタブが組み合わされたものであり、前記取付け構造が前記サーフボードに差し込まれて保持されるのに適したものであり、また、前記取付け構造が複数の形状のフィンタブを受け入れて取り外し可能に保持するのに適したもので、これにより、前記フィンを、前記サーフボードに対して固定した位置関係にて取り外し可能に保持することができることを特徴とするフィン取付け構造。
【請求項２】
略細長状の本体からなり、該本体には、略矩形状の断面を有する凹陥部が、第１面で開口をなすように設けられており、前記凹陥部は、前記第１面の逆側の第２面に近い基部にまで延びており、前記凹陥部は前方端及び後方端を有することを特徴とする請求項１に記載のフィン取付け構造。
【請求項３】
前記フィン取付け構造には、前記本体から外側へと延びる外周フランジが備えられ、前記フランジの第１面が、前記本体の第１面に連続していることを特徴とする請求項２に記載のフィン取付け構造。
【請求項４】
前記凹陥部の長さが、少なくとも、前記複数の形状のフィンタブのうちの最も長いものと同一であることを特徴とする請求項２に記載のフィン取付け構造。
【請求項５】
前記取付け構造が、前記サーフボードに接着するのに適したものであり、前記本体の第１面は、前記サーフボードの下面と連続した面をなすことを特徴とする請求項２に記載のフィン取付け構造。
【請求項６】
前記取付け構造は、中央フィンについての前記複数の形状のフィンタブを受け入れて、取り外し可能に保持するのに適したものとなっている第１の形状部分として設けられたことを特徴とする請求項１に記載のフィン取付け構造。
【請求項７】
前記取付け構造は、右側フィン及び左側フィンについての前記複数の形状のフィンタブをそれぞれ受け入れて取り外し可能に保持するのに適したものとなっている第２及び第３の形状部分として設けられたことを特徴とする請求項１に記載のフィン取付け構造。
【請求項８】
前記第１の形状部分における取付け構造の前記凹陥部は、平坦な左右の側壁面が互いに平行であり、平坦な前方端及び後方端の壁面が互いに平行であり、これら壁面がいずれも前記第１面に対して垂直であることを特徴とする請求項６に記載のフィン取付け構造。
【請求項９】
前記第２の形状部分における取付け構造の前記凹陥部は、平坦な前方端及び後方端の壁面が互いに平行であって、いずれも前記第１面に対して垂直であり、前記凹陥部の右側壁面の一部が前記凹陥部の基部から外方かつ上方へと、前記中央フィンの面に対して約5度傾斜していることを特徴とする請求項７に記載のフィン取付け構造。
【請求項１０】
前記第３の形状部分における取付け構造の前記凹陥部は、平坦な前方端及び後方端の壁面が互いに平行であって、いずれも前記第１面に対して垂直であり、前記凹陥部の左側壁面の一部が前記凹陥部の基部から外方かつ上方へと、前記中央フィンの面に対して約5度傾斜していることを特徴とする請求項７に記載のフィン取付け構造。
【請求項１１】
前記第１の形状部分、前記第２の形状部分及び前記第３の形状部分における前記凹陥部が、いずれも、前記凹陥部の左右の側壁から外側へと延びる一対の横方向凹陥部を備え、これら横方向凹陥部が前記凹陥部の前方の箇所に設けられていることを特徴とする請求項７に記載のフィン取付け構造。
【請求項１２】
前記第２の形状部分及び前記第３の形状部分における前記横方向凹陥部の外側の壁面は、外方かつ上方へと傾斜する前記壁面部分に対して平行であることを特徴とする請求項７に記載のフィン取付け構造。
【請求項１３】
前記凹陥部には、前記凹陥部の幅全体にわたって延び、前記凹陥部の深さの半分の深さ位置の近傍に配置される固定の保持部材が備えられ、前記保持部材は、前記凹陥部の後方端の面から前方へと突き出すことを特徴とする請求項２に記載のフィン取付け構造。
【請求項１４】
前記取付け構造には一対のバットレス部が、該取付け構造の左側及び右側のいずれにも一対設けられ、前記バットレス部が、前記本体の第１面から見ての前記フランジの裏面から延びており、前記バットレス部は、前記本体の第２面における対応する稜部に向かってすぼまるテーパー状をなすことを特徴とする請求項３に記載のフィン取付け構造。
【請求項１５】
前記一対のバットレス部が、前記取付け構造の長さの約１／３の間隔を置いて配置されていることを特徴とする請求項１４に記載のフィン取付け構造。
【請求項１６】
前記一対のバットレス部のうちの前方のものが、前記横方向凹陥部における中間位置の近傍に配置されていることを特徴とする請求項１４に記載のフィン取付け構造。
【請求項１７】
前記取付け構造には、複数の傾斜付きネジ切孔が設けられ、該傾斜付きネジ切孔は、前記本体の第１面から延びて、前記第１面と前記凹陥部の基部との間の中間位置の近傍に現れることを特徴とする請求項２に記載のフィン取付け構造。
【請求項１８】
前記取付け構造には、さらに、前記第１面から延びる垂直のネジ切孔が設けられていることを特徴とする請求項２に記載のフィン取付け構造。
【請求項１９】
第１の前記傾斜付きネジ切孔が、前方端の壁面における前記第１面と前記凹陥部の基部との間の中間位置の近傍に現れることを特徴とする請求項１７に記載のフィン取付け構造。
【請求項２０】
取付け構造をなす前記第１の形状部分には、前記凹陥部の左右いずれの側にも、前記傾斜付きネジ切孔が設けられ、第１の前記傾斜付きネジ切孔が、前記複数のバットレス部のうちの前方のものに重なる位置にあり、第２の前記傾斜付きネジ切孔が、前記複数のバットレス部のうちの後方のもに重なる位置にあることを特徴とする請求項１７に記載のフィン取付け構造。
【請求項２１】
前記第１の形状部分及び前記第２の形状部分をなす前記取付け構造には、前記傾斜付きネジ切孔が、中央のフィンに最も近い側に対をなして配置され、前記バットレス部に重なる位置に配置されたことを特徴とする請求項１７に記載のフィン取付け構造。
【請求項２２】
前記傾斜付きネジ切孔が、六角形のねじ込みソケットを備えた止めネジを受け入れるに適したものであることを特徴とする請求項１７に記載のフィン取付け構造。
【請求項２３】
前記取付け構造には、複数の形状のフィンタブのうちの選択されたものを支持するのに適した差込部が少なくとも一つ備えられることを特徴とする請求項１に記載のフィン取付け構造。
【請求項２４】
複数の形状のフィンタブのうちのいずれもが、少なくとも一つの止めネジとの係合によって、前記凹陥部中に保持されることを特徴とする請求項２２に記載のフィン取付け構造。
【請求項２５】
前記複数の形状のフィンタブのうちの少なくとも一つが、前記の固定された保持部材及び少なくとも一つの前記止めネジによって前記凹陥部中に保持されることを特徴とする請求項２２に記載のフィン取付け構造。
【請求項２６】
前記複数の形状のフィンタブのうちの少なくとも一つが、固定プレートと、該固定プレートを貫いて前記垂直ネジ切孔中にねじ込まれる少なくとも一つの前記止めネジとによって前記凹陥部中に保持されることを特徴とする請求項１８に記載のフィン取付け構造。
【請求項２７】
前記取付け構造が位置調整可能なフィンの保持に適したものであり、前記フィンには、前記凹陥部よりも有意に短いフィンタブが備えられ、このようにして、前記フィンを、前方の第１位置と、後方の第２位置との間で動かすことができることを特徴とする請求項２に記載のフィン取付け構造。
【請求項２８】
前記位置調整可能なフィンには、前記フィンタブの側面に凹陥部が設けられ、この凹陥部は、前記傾斜付きネジ切孔にねじ込まれた止めネジと係合するのに適したものであることを特徴とする請求項２７に記載のフィン取付け構造。
【請求項２９】
サーフボードの少なくとも一つのフィンのための複数の形状のフィンタブを取り外し可能に取付ける方法であって、
（ａ）前記サーフボード中に、細長い本体及び凹陥部からなるフィンボックスを嵌め込んだものを用意する工程であって、少なくとも中央のフィンボックスを嵌め込んだものを用意する工程と、
（ｂ）前記フィンボックス中における傾斜付きネジ切孔中に備えられた止めネジを、前記フィンタブの差込を可能にするのに充分なまでに後退させる工程と、
（ｃ）前記止めネジを前記フィンタブに接触させるようにねじ込む工程と、からなることを特徴とするフィン取付け方法。
【請求項３０】
３フィン系における中央、左側及び右側のフィンのためのフィンボックスをそれぞれ嵌め込むことを特徴とする請求項２９に記載のフィン取付け方法。
【請求項３１】
前記複数の形状のフィンタブには、前記フィンの中央面から直線状に延びるもの、及び、前記中央面に対して傾斜したものが含まれることを特徴とする請求項２９に記載のフィン取付け方法。
【請求項３２】
前記複数の形状のフィンタブに含まれる一つのフィンタブは、前記フィンの前方端部分の一部として、上方に突き出て延びるブレード状部分を有し、該ブレード状部分の前後両側の箇所に、横方向に突き出す一対の垂直部材が備えられ、また、水平方向に延びる円柱形部分が、概略、この一対の垂直部材の間に配置されており、少なくとも一つの前記止めネジが前記円柱形部分に係合することを特徴とする請求項２９に記載のフィン取付け方法。
【請求項３３】
前記複数の形状のフィンタブに含まれる一つのフィンタブは、上方へと突き出す２つのブレード状部分を含み、これらブレード状部分は、前記凹陥部に差し込むのに適したものである差込具中に嵌め込まれ、これにより、前記止めネジが前記ブレード状部分及び前記差込具に係合することを特徴とする請求項２９に記載のフィン取付け方法。
【請求項３４】
前記複数の形状のフィンタブに含まれる一つのフィンタブは、実質上、前記フィンの長さ寸法にわたって延びており、前記フィンタブには、前記凹陥部の後方端に配置された保持部材に係合するのに適した後方ノッチと、一つの前記止めネジに係合するのに適した前方ノッチとが設けられることを特徴とする請求項２９に記載のフィン取付け方法。
【請求項３５】
前記複数の形状のフィンタブに含まれる一つのフィンタブは、前記フィンの本体と前記フィンタブとの間の接合面に沿って設けられた細長いスロットを有していることを特徴とする請求項２９に記載のフィン取付け方法。
【請求項３６】
前記複数の形状のフィンタブに含まれる一つのフィンタブは、位置調整可能なフィンのものであって、前記凹陥部中にあって、該フィンタブが、前方の第１の位置と、後方の第２の位置との間にて、摺動して位置調整可能であることを特徴とする請求項２に記載のフィン取付け方法。
【請求項３７】
前記の位置調整可能なフィンのフィンタブが該フィンよりも有意に短く、前記フィンタブにおける、少なくとも左右一方の面には、２つの前記止めネジに係合するための凹陥部が配列されることを特徴とする請求項３６に記載のフィン取付け方法。
【請求項３８】
前記フィンと前記フィンタブとの間の長さの差が１５〜２５ｍｍの範囲内であることを特徴とする請求項３６に記載のフィン取付け方法。
【請求項３９】
サーフボードなどの本体に対して取り外し可能にフィンを取付けるフィンボックスであって、前記フィンはフィンタブが組み合わされたものであり、前記フィンボックスが前記サーフボードに差し込まれて保持されるのに適したものであり、また、前記フィンボックスが複数の形状のフィンタブを受け入れて取り外し可能に保持するのに適したもので、これにより、前記フィンを、前記サーフボードに対して固定した位置関係にて取り外し可能に保持することができ、また、前記フィンボックスの第１面の長さ及び幅が、前記フィンを全体的に支持するのに充分なものであり、これにより、前記フィンのいずれの部分もサーフボード等の本体に接触しないことを特徴とするフィンボックス。
【請求項４０】
全体が細長状の本体からなり、該本体には、全体的に矩形状の断面を有する凹陥部が、第１面で開口をなすように設けられており、前記凹陥部は、前記第１面の逆側の第２面に近い基部にまで延びており、前記凹陥部は前方端及び後方端を有することを特徴とする請求項３９に記載のフィンボックス。
【請求項４１】
前記フィンボックスには、前記本体から外側へと延びる外周フランジが備えられ、前記凹陥部の周囲にある前記フランジの第１部分が前記第１面の領域をなしており、前記フランジにおける外側の部分が前記第１部分以外の領域であり、前記フランジ上の各位置における前記第１面の領域とそれ以外の領域との二者択一の関係により、前記外側部分がサーフボード等の発泡体コアの表面と段差のない連続面をなし、前記第１面が、前記サーフボード等の完成時の外面と、概略、段差のない連続面をなすことを特徴とする請求項４０に記載のフィンボックス。
【請求項４２】
前記フィンボックスにおける前記凹陥部の左右両側の壁面が互いに平行であり、前記第１面に対して垂直であることを特徴とする請求項４１に記載のフィンボックス。
【請求項４３】
前記フィンボックスが複数種のものであり、これらが、前記サーフボード等の中央部にあるフィンを保持するための中央フィンボックス、前記サーフボード等の右側部分にあるフィンを保持するための右側フィンボックス、及び、前記サーフボード等の左側部分にあるフィンを保持するための左側フィンボックスとして適したものであることを特徴とする請求項３９に記載のフィンボックス。
【請求項４４】
前記右側のフィンボックス及び前記左側のフィンボックスのいずれにおいても、前記凹陥部における左右の壁面のうちの少なくとも一方には、外側への傾斜壁面部が備えられ、前記右側のフィンボックスにおける前記傾斜壁面部が前記凹陥部の右側壁面に沿って配置され、前記左側のフィンボックスにおける前記傾斜壁面部が前記凹陥部の左側壁面に沿って配置されたことを特徴とする請求項４３に記載のフィンボックス。
【請求項４５】
前記右側フィンボックス及び前記左側フィンボックスのいずれにも、それぞれ２つの前記外側への傾斜壁面部が備えられ、これらが、前記右側フィンボックスにおける前記凹陥部の右側壁面、及び、前記左側フィンボックスにおける前記凹陥部の左側壁面に沿って配置されたことを特徴とする請求項４４に記載のフィンボックス。
【請求項４６】
前記２つの外側への傾斜壁面部は、長さ及び配置が、２部分構成のフィンタブをなす前方及ぶ後方の２つの部分についての長さ寸法及び配置にそれぞれ一致していることを特徴とする請求項４５に記載のフィンボックス。
【請求項４７】
前記右側フィンボックス、前記中央フィンボックス及び前記左側フィンボックスのいずれにも、取り外し可能な差込具が備えられ、この差込具が、ほぼ、前記凹陥部の長さ、深さ及び幅にわたって延びていることを特徴とする請求項４１に記載のフィンボックス。
【請求項４８】
前記の取り外し可能な各差込具には、その後方端にノッチが設けられ、このノッチが前記凹陥部にある、横方向の差込具保持構造に係合するのに適したものとなっていることを特徴とする請求項４７に記載のフィンボックス。
【請求項４９】
前記の取り外し可能な各差込具には、２つの受け入れ凹陥部が備えられ、これら受け入れ凹陥部は、前記２つの傾斜壁面部の寸法及び配置に一致する寸法及び配置にて、前記差込具の長さ方向に沿って設けられたことを特徴とする請求項４７に記載のフィンボックス。
【請求項５０】
前記右側のフィンボックス及び前記左側のフィンボックスの前記受け入れ凹陥部における、前記傾斜壁面部と向き合う各壁面は、前記差込具が前記凹陥部中に置かれた際に、前記傾斜壁面部と平行であることを特徴とする請求項４９に記載のフィンボックス。
【請求項５１】
前記中央のフィンボックスにおける前記受け入れ凹陥部の各壁面は、前記差込具が該フィンボックスの前記凹陥部中に置かれた際に、該凹陥部の対向する壁面と平行であることを特徴とする請求項４９に記載のフィンボックス。
【請求項５２】
前記左側のフィンボックス及び前記右側のフィンボックスのいずれにも、少なくとも２つの傾斜付きネジ切孔が備えられ、これら傾斜付きネジ切孔は、前記第１面から延びて、前記傾斜壁面部と向かい合う、前記凹陥部の側壁面に至っていることを特徴とする請求項４４に記載のフィンボックス。
【請求項５３】
中央のフィンボックスには、少なくとも２つの傾斜付きネジ切孔が備えられ、第１の前記傾斜付きネジ切孔は、前記第１面から延びて前記凹陥部の左右の一方にある第１の側壁面に至っており、第２の前記傾斜付きネジ切孔は、前記第２面から延びて、前記凹陥部の左右の他方にある第２の側壁面に至っていることを特徴とする請求項４３に記載のフィンボックス。
【請求項５４】
前記各傾斜付きネジ切孔が、止めネジを受け入れるのに適したものであり、該止めネジは、フィンのフィンタブを前記フィンボックス中に位置・姿勢をロックさせるように配置されていることを特徴とする請求項５２に記載のフィンボックス。
【請求項５５】
前記取り外し可能な差込具における前記受け入れ凹陥部がスロットを備え、該スロットは、前記フィンボックスの凹陥部の左右一方の側壁面に隣接する、前記受け入れ凹陥部の壁面を突き抜けるものであり、また、該スロットが、前記傾斜付きネジ切孔と位置が合わせられており、これにより、前記止めネジが該スロットを通り抜ける可能であることを特徴とする請求項５４に記載のフィンボックス。
【請求項５６】
フィンボックス凹陥部と、取り外し可能な差込具との各組み合わせにあって、前記受け入れ凹陥部と、前記フィンボックス凹陥部の対向壁面とにより形成されるスロット状部分は、横断面及び深さ寸法が、２部分構成のフィンタブの横断面及び深さ寸法に一致していることを特徴とする請求項４７に記載のフィンボックス。
【請求項５７】
前記右側のフィンボックス及び前記左側のフィンボックスのいずれにも、一対の傾斜付きネジ切孔が設けられ、これらが、前記右側のフィンボックスではその凹陥部の左側に、前記左側のフィンボックスではその凹陥部の右側に配列されることを特徴とする請求項４３に記載のフィンボックス。
【請求項５８】
中央のフィンボックスに一対の傾斜付きネジ切孔が設けられ、該一対のうちの一方のものが前記凹陥部の右側に、該一対のうちの他方のものが前記凹陥部の左側に配置されたことを特徴とする請求項４３に記載のフィンボックス。
【請求項５９】
中央、右側及び左側の各フィンボックスにおける前記一対の傾斜付きネジ切孔がなす間隔が、２部分構成のフィンタブの前後２つの部分における中心部同士の間隔と一致していることを特徴とする請求項４３に記載のフィンボックス。
【請求項６０】
前記右側のフィンボックス及び前記左側のフィンボックスの前記受け入れ凹陥部における、向き合う左右の壁面が互いに平行であって、サーフボード等の外側へと向けて傾斜しており、前記右側のフィンボックスにおける前記左右の壁面は右側へと傾斜し、前記左側のフィンボックスにおける前記左右の壁面は左側へと傾斜していることを特徴とする請求項４１に記載のフィンボックス。
【請求項６１】
前記凹陥部の長さ及び深さは、前記複数の形状のフィンタブのうちの一つである前後の２部分からなるフィンタブについての全体の長さ及び深さに一致しており、ここで、フィンタブの全体の長さは、前方のフィンタブ部分の前縁から後方のフィンタブ部分の後縁までの寸法であることを特徴とする請求項６０に記載のフィンボックス。
【請求項６２】
前記凹陥部の長さは、前記複数の形状のフィンタブのうちの一つである前後の２部分からなるフィンタブについての全体の長さより大きく、前記凹陥部の長さが、前記フィンボックスに装着されたフィンの前後への位置調整を可能にすることを特徴とする請求項６０に記載のフィンボックス。
【請求項６３】
前記凹陥部の長さは、前記複数の形状のフィンタブのうちの一つである一体構成のフィンタブについての長さよりも大きく、前記凹陥部の長さが、前記フィンボックスに装着されたフィンの前後への位置調整を可能にすることを特徴とする請求項６０に記載のフィンボックス。
【請求項６４】
前記フィンボックス中に配置されたフィンタブは、前記フィンボックス中に、止めネジによって係止されており、止めネジは、少なくとも２つの傾斜付きネジ切孔を通り抜けるようにねじ込まれて、前記フィンタブの側壁に係合していることを特徴とする請求項６０に記載のフィンボックス。
【請求項６５】
水上や水中を進むための乗り物や器具に配置されるのに適したフィン保持機構であって、
それぞれが相異なる形状のフィンタブを有する相異なる複数種のフィンを受け入れるための開口を画するものであって、前記乗り物や器具の外面からその内部に装着される本体と、
前記本体の開口を取り囲み該開口の外側へと延びており、前記本体が前記乗り物や器具の内部に装着された際には、前記乗り物や器具の外面と、概略、段差のない連続面をなすフランジと、
前記本体の内部に配置されて、フィンタブの第１の部分と係合する第１の係合機構と、
前記本体の内部に配置されて、フィンタブの第２の部分と係合する第２の係合機構とからなることを特徴とするフィン保持機構。
【発明の詳細な説明】
【技術分野】
【０００１】
本発明は、水上や水中を進むための小型の乗り物や器具（small water craft）に用いるフィン及びその取付け部材に関する。特には、サーフボードに種々の形状のフィンを取付ける機構に関する。
【背景技術】
【０００２】
多くのスポーツ器具と同様、ユーザーの嗜好や使用時の条件に合った製品を仕立てて用意すべく、基本品に対する種々の変形品が開発されている。サーフボードの後部下面にフィンが取付けられたものについてもそうである。
【０００３】
サーフボードの持ち主にとり、自分の体重や波乗りのスタイルに最も合ったフィンを探す目的で試して見るためにも、また、時々折々波乗りを行う条件に合わせるためにも、フィンを取替え可能とすることは明らかに有利である。
【０００４】
取替え可能なフィンシステムは、公知であり、いわゆるフィンボックスに保持されるフィンを選択することからなる。具体例は、米国特許US 5, 830, 025及びUS 5, 975, 974、及び国際特許公開WO 01/70565に見られる。フィンボックスは、一般に、サーフボードの製造中にサーフボードの本体に作り込まれた永続的な取付け具であり、また、一般に、フィンのタブまたは付け根を差し込むスロットを含んでいる。差し込まれたフィンを固定して保持する手段としては、比較的単純なスナップ留め機構から、フィンボックスへのフィンの取付けに、道具をあてがう必要のある止め具を組み込んだ構成まで、多種多様のものがある。
【特許文献１】米国特許出願公開2003/0124924 A
【特許文献２】米国特許出願公開2003/0092333 A
【特許文献３】ドイツ特許出願公開DE4038517 A
【発明の開示】
【発明が解決しようとする課題】
【０００５】
これらのシステムの不利な点は、フィンボックスが一つの形状のフィンタブを受け入れるために設計されていることである。そのため、サーフボードの持ち主は、自分のサーフボードのメーカー以外のメーカーからの種々のフィンに取り替えたり試して見たいと思っても、または、少なくとも自分のサーフボードに嵌め込まれたフィンボックスのメーカー以外のメーカーからの種々のフィンに取り替えたり試して見たいと思っても、選択の範囲が制限される。
【０００６】
本発明の目的は、このような不利な点のいくつかについて、手立てを行うか、または少なくとも改善することである。
【課題を解決するための手段】
【０００７】
一の態様において、本発明は、サーフボードなどの本体に対して取り外し可能にフィンを取付ける取付け構造である。ここで、フィンにはこれに組み合わされたフィンタブが備えられ、該取付け構造は、前記サーフボード中に差し込まれて保持されるのに適したものとなっており、また、複数の形状のフィンタブを受け入れて取り外し可能に保持するのに適したもので、これにより、前記フィンを、前記サーフボードに対して固定した位置関係にて取り外し可能に保持することができる。
【０００８】
別の態様によると、本発明は、サーフボードにおける少なくとも一つのフィンのための複数の形状のフィンタブを取り外し可能に取付ける方法であって、（ａ）前記サーフボード中に、少なくとも中央のフィンボックス（細長い本体及び凹陥部からなるフィンボックス）を嵌め込んだものを用意する工程と、（ｂ）前記フィンボックス中における傾斜付きネジ切孔に備えられた止めネジ（set screw）を、前記フィンタブの差込を可能にするのに充分なまでに後退させる工程と、（ｃ）前記止めネジを前記フィンタブに接触させるようにねじ込む工程と、からなる。
【０００９】
別の態様によると、本発明は、サーフボードなどの本体に対して取り外し可能にフィンを取付けるフィンボックスである。ここで、フィンにはこれに組み合わされたフィンタブが備えられ、該フィンボックスは、前記サーフボード中に差し込まれて保持されるのに適したものとなっており、また、複数の形状のフィンタブを受け入れて取り外し可能に保持するのに適したもので、これにより、前記フィンを、前記サーフボードに対して固定した位置関係にて取り外し可能に保持することができる。ここで、さらには、前記フィンボックスの第１面についての長さ及び幅が、前記フィンの全体を支えるのに充分であって、前記フィンのいずれの部分もサーフボード等の本体に接触しない。
【００１０】
別の態様によると、本発明は、水上や水中を進むための小型の乗り物や器具の中に配置されるのに適したフィン保持機構であって、(1)互いに異なる形状のフィンタブを有する複数の互いに異なるタイプのフィンを受け入れるような寸法の開口を取り囲み、前記乗り物や器具の外面を突き抜けるように装着される本体と、(2)本体の前記開口を取り囲み、該開口から外側へと延びるフランジであって、前記本体が前記乗り物や器具中に配置された際には、該乗り物や器具の外面とほぼ面一（つらいち）となる（すなわち、周囲の面との間で段差を生じず、連続した面をなす）ように配置されるフランジと、(3)前記本体中に配置されて第１の形状のフィンタブに係合す第１の保持機構と、(4)前記本体中に配置されて第２の形状のフィンタブに係合す第２の保持機構とを備える。
【発明を実施するための最良の形態】
【００１１】
本発明の実施形態について添付の図面を参照して説明する。
【００１２】
＜第１の好ましい実施形態＞
本発明の第１の好ましい実施形態では、図１〜２を参照すると、サーフボード10に３つのフィン保持構造体12,13及び14が嵌めこまれている。これらは、一般にフィンボックスと呼ばれており、サーフボード10の下面16に挿嵌されている。フィンボックス12は、センターフィン17用であり、フィンボックス13及び14は、左側フィン18及び右側フィン19をそれぞれ受け入れる。
【００１３】
フィン17,18及び19は、フィン保持構造体であるフィンボックス12,13及び14中に、フィンの上端エッジに設けられたフィンタブによって保持されている。フィンの上端エッジは、サーフボード10の下面16と、実質上、面一（つらいち）である。市販の典型的なフィン及びフィンタブの例を、図３に示す。
【００１４】
再度、図２を参照するならば、次のことが知られる。センターフィン17の中央平面は、サーフボード10の下面16と垂直であり、左右のフィン18及び19は、該中央平面に対して左右に傾斜している。傾斜角度は、一般に、5度である。外側フィンの傾斜角は、左右のフィンボックス13及び14の凹陥部の傾斜角によっても、また、フィンタブに対するフィンの傾斜角によっても設けることができる。本発明のフィンボックス13及び14は、フィンとタブが一直線上にある（すなわち、フィンタブにはフィンに対する傾斜角が付けられていない）外側フィン13及び14に対して傾斜角を与えるものであり、なおかつ、フィンタブとの間に傾斜角が付けられた外側フィンをも用いることができるようにする。以下、詳細に説明する。
【００１５】
まず、一の好ましい形態における特定の構造のフィンボックスであって、中央及び外側のフィンとして、まっすぐに延びるフィンタブまたは傾斜したフィンタブを有する複数種の市販のフィンを用いることができるものについて説明する。図４を参照すると、中央のフィンボックス20は、凹陥部24を有する全体に細長の本体22からなる。本体22は、図１及び図５に示すように、フィンボックス20がサーフボードの本体に取り付けられた際に、通常、サーフボード１０の下面１６と面一（つらいち）である。第１面25は、本体22から外側へと延びる外周フランジ26を含んでいる。
【００１６】
凹陥部２４は、本体中へと、図３の市販のフィンのフィンタブについて、いずれをも受け入れるのに充分な深さにまで達している。図４及び５から最も良く知られるように、本体22には、さらに、左右両側のいずれにも、一対のバットレス部（支持・補強用の傾斜した突き出し壁部）28が設けられている。各バットレス部28は、フランジ26の上面から延びて、面31のエッジへと向かってすぼまるテーパー状をなしている。傾斜付きネジ切孔34A及び34Bが、凹陥部24の左右両側に設けられており、図５，６及び７から最も良く知られるように、平面25から凹陥部の内面へと突き抜けている。他の傾斜付きネジ切孔35は、凹陥部24の前方端の内壁面へと突き抜けている。図４及び７から知られるように垂直ネジ切孔37も設けられている。
【００１７】
凹陥部24の幅及び形状は、図３の各フィンタブを差し込むことのできるようなものとなっている。そのため、例えば、主たる凹陥部24から外側へと突き出す横方向凹陥部23は、図３Ａのフィンにおけるフィンタブ29の突出部30を受け入れるのに適したものとなっている。図９から知ることができるように、図３Ａのフィンタブ29は、止めネジ38によって、フィンボックス20の凹陥部24に確実に固定されて保持される。止めネジ38は、凹陥部24の左右一方の側にある傾斜付きネジ切孔34A中へとねじ込まれて、フィンタブ29の円柱状部分40に係合する。
【００１８】
図６及び７を参照するならば、凹陥部24に保持部材32が備えられている。保持部材32は、凹陥部24の後方端の内壁面から突き出して凹陥部24の幅方向全体にわたって延びている。保持部材32は、図３Ｃのフィンタブ34における後方ノッチ35に係合するのに適したものとなっている。図１０に示すように、図３Ｃのフィンタブ34は、後方でノッチ35が保持部材32に係合し、前方で止めネジ38が前方ノッチ37に係合することにより、フィンボックス20中に保持される。また、図１０には示さないが、止めネジ38を、フィンタブ34の側面へと、傾斜付きネジ切孔34A及び34Bを突き抜けるようにねじ込むことができる。
【００１９】
図３Ｂのフィンは、２つの部分42A及び42Bからなるフィンタブを有している。本実施形態のフィンボックスにフィンタブを収納するためには、図８に示す差込具44Aが備えられる。差込具44Aは、図３Ｃのフィンタブ34と同様の外形寸法を有し、同様の後方ノッチ45及び前方ノッチ46を備える。差込具44Aが、フィンボックス中20にて、保持部材32と、前方ネジ切孔35を突き抜ける止めネジ38とによって保持されるようになっているのである。差込具44Aは、また、抜き部48A及び48Bを有し、これらが、フィンタブの２つの部分42A及び42Bを受け入れる寸法に設けらている。これらフィンタブ部分42A及び42Bは、止めネジが、傾斜付きネジ切孔34A及び34Bを突き抜けるようにねじ込まれて、フィンタブ部分42A及び42Bの側面へと押し付けられることによって、フィンボックス20中に固定される。
【００２０】
図１５及び１６を参照すると、図３Ｄのフィンは、フィンタブ50が、フィンとフィンタブとの接合面にスロット51を備える。このフィンは、フィンボックスの凹陥部24に差し込まれた際、スロット51中に差し込まれたプレート53によって保持される。ここで、該プレート53は、垂直ネジ切孔237にネジ52によってねじ止めされて、フィンボックスに固定される。
【００２１】
左右のフィンボックス13及び14は、以上に説明した中央のフィンボックス20と同様の形状を有するが、凹陥部は多少変更されている。左右のフィンボックス13及び14は、対称となる形状構成を有するため、左側フィンボックスについてのみ詳細に説明する。
【００２２】
図１１Ａには、３フィン・サーフボードの左側フィンのためのフィンボックス13の平面図を示す。このフィンボックスの凹陥部124は、凹陥部の内壁面におけるサーフボードの外縁（図１１Ａにおける左側）に最も近い部分128が、図１１ＢのA-A断面図及びD-D断面図に示すように、5度だけ傾斜している。主たる凹陥部124から外側へと延びる横方向凹陥部123では、互いに向き合う内壁面123A及び123Bが、C-C断面図から知られるように、主たる凹陥部124の傾斜面部分128に平行となるように、サーフボードの外縁（図１１Ａにおける左側）に向かって傾斜している。
【００２３】
外側への傾斜面部分128は、A-A断面及びD-D断面の箇所にて、主たる凹陥部124の範囲内に位置しており、図１１Ｃに示すような直線配列フィンタブや、図１１Ｄに示すような傾斜付きフィンタブを有するところの、本発明のフィンボックスに受け入れ可能なフィン構成を受け入れるようになっている。左右のフィンにおいて、図３Ａ及び図３Ｂのフィンタブは、直線配列状であり、図３Ｃのフィン及び図３Ｄのフィンは、左右に5度傾斜している。
【００２４】
図１１Ａ及び図１１Ｂにおける外側への傾斜面部分128の配置から知られるように、図３Ａのフィンの直線状フィンタブ29は、凹陥部124に差し込まれた際に、外側へと5度傾斜する。両側壁面が5度の傾斜角を有するA-A断面部、B-B断面部及びC-C断面部中にて、直線状フィンタブ29は、全ての垂直面でもって滑るようにして差し込まれるからである。
【００２５】
同様に、図３Ｂの構成のフィンタブは、前述したと同様、図１３の差込具44Bと組み合わされて、B-B断面部及びD-D断面部に装着される。しかし、図１３の差込具44Bには、5度の傾斜が抜き部48C及び48Dに作り込まれている。図１４に示すように、図３Ｂのフィンが差込具44Bとともに凹陥部24中に配置され、傾斜付きネジ切孔135を突き抜ける止めネジ38によって位置が固定されている。
【００２６】
ところが、図３Ｃのフィンタブ34、及び図３Ｄのフィンタブ50は、5度の傾斜を付けずに、フィンボックス中に保持する必要がある。このことは、凹陥部124の残りの部分126、すなわち垂直の平行な内壁面を有する部分によって実現できる。
【００２７】
また、フィンボックス13には、一対の傾斜付きネジ切孔134A及び134Bが、凹陥部124における、サーフボードの外縁から遠い側（図１１Ａの右側）にだけ設けられる。そのため、図３Ａのフィンの直線配列フィンタブは、孔134Aを突き抜けてねじ込まれる止めネジによって、フィンボックス中、所望の傾斜位置へと押し込まれ、また、傾斜した内壁面に、サーフボードの外側へとむかって、押し付けられる。
【００２８】
図１３及び１４を参照すると、図３Ｂの直線配列フィンタブ42A及び42Bは、差込具44Bの抜き部48C及び48Dに差し込むことによって5度の傾斜が付けられる。この後、フィンタブは、抜き部48C及び48Dのスロット50を突き抜ける止めネジ38によって、抜き部48C及び48D中にて固定され、フィンタブが、凹陥部24における外側へと傾斜した面に押し付けられる。このようにして、フィンが、サーフボードの外縁に向かって5度の傾斜を付けられる。
【００２９】
図３Ｃのフィンタブ34、及び、図３Ｄのフィンタブ50は、中央のフィンボックスについて前述したと同様の、通常の、垂直の向きの配置にて保持される。
【００３０】
本発明に置ける中央及び左右のフィンボックスは、また、調整可能なフィンを受け入れて保持することができる。図１２に示すように、調整可能なフィン210は、より短いフィンタブ212を備える。好ましくは、このフィンタブ212は、凹陥部224よりも20mm短く、フィン210が中央の位置から前後へと10mmだけ動くことができる。フィンタブ210は、さらに、ノッチ235を備え、フィンタブが、後方壁233に押し付けられるまでの範囲に配置できるようになっており、最も後方の位置に配置された際にも保持部材（32；図６及び７中）の妨げを受けないようになっている。ところが、フィンタブ212は、保持部材の凹陥部224にも、また、傾斜付きネジ切孔235中の止めネジ235にも頼らずに保持されている。
【００３１】
本実施形態において、フィン210のフィンタブ212には、凹陥部214A及び214Bが設けられている。図１２に示すような左側のフィンボックス、または右側のフィンボックスにおいて、２つの凹陥部が、フィンタブの左右一方の側にある。すなわち、傾斜付きネジ切孔234が位置する側にある。中央のフィンでは、このような凹陥部が、タブの左右両側に設けられており、中央のフィンボックスに互いに同等の傾斜付きネジ切孔が前述したように設けられていることに対応している。凹陥部214の長さは、傾斜付きネジ切孔234にねじ込まれた止めネジ241が、ユーザーの好みの位置に関わらず、凹陥部に係合できるようなものとなっている。
【００３２】
＜第２の好ましい実施形態＞
本発明の他の好ましい実施形態においては、フィンボックスが、図６〜８及び図１１及び１２に示された前述のものよりも、いくらかシンプルになっている。本実施形態において、左右及び中央のフィンボックスは、図３Ｂ及び図３Ｃの形状構成のフィンタブ付きのフィンを装着するためのものである。
【００３３】
図１７を参照すると、中央のフィンボックス300、右側フィンボックス302及び左側フィンボックス304は、いずれも、上記のように、中央の凹陥部308及び外周フランジ301を備えた細長い本体306からなる。図１７中に破線で示すように、また、図１８から最も良く知られるように、本実施形態における凹陥部308は、後方端内壁面311から突き出した保持構造319を備える。
【００３４】
第１の外面316は、凹陥部308の周りの、外周フランジ310の第１の内側部分からなる。フランジ310の外側部分318は、第１の外面316を除いた残りの領域である。図１７、１７Ａ、１７Ｂ及び１７Ｃから知られるように、第１の外面316と、フランジ310の外側部分318との間のオフセット印刷版と印刷領域との間のような関係は、フィンボックスがサーフボードの本体に装着された際に、外側部分318の面が、サーフボードの発泡体コア307と面一（つらいち）となり、第１の外面316が、下面322における製品完成後のガラス繊維外皮320の表面322と面一（つらいち）となるようにするものである。
【００３５】
第１の外面316がサーフボードの表面322と面一（つらいち）であるものの、第１の外面316の幅及び長さは、フィンボックス300，302または304に装着されたフィンのいずれの部分も、サーフボードの下面322に接触しないようなものとなっている。フィンのブレード部は、このようにして、第１の外面316の領域内にて第１の外面316により充分に支持される。
【００３６】
図１７、１７Ａ、１７Ｂ及び１７Ｃを参照するならば、本実施形態における右側フィンボックス302及び左側フィンボックス304は、いずれも、２つの外側への傾斜壁面部309を有する。右側及び左側のフィンボックス302及び304における外側への傾斜壁面部309は、それぞれ、サーフボードの右側及び左側へと傾斜している。傾斜壁面部309の長さ及び配置は、図３の「Ｂ」のフィンタブ構成における前後のフィンタブ42A及び42Bの長さ及び間隔に一致している。各傾斜壁面部309と向かい合う側、すなわち左右方向逆側には、傾斜付きネジ切孔313が、第１の外面316から、これに隣接する、凹陥部308の側壁面へと突き抜けるように備えられる。
【００３７】
図１７、１７Ａ、１７Ｂ及び１７Ｃに示すように、右側及び左側フィンボックス302及び304は、本実施形態において、それぞれ、右側の取り外し可能な差込具330、及び、左側の取り外し可能な差込具332を備える。取り外し可能な差込具330及び332の幅及び深さ寸法は、凹陥部308をほぼ満たす寸法となっている。図１８Ｂ及び１８Ｃを参照するならば、取り外し可能な差込具330及び332は、いずれも差込具の後方端にノッチ334を有しており、凹陥部308の保持構造319に対して、取り外し可能に係合するのに適したものとなっている。
【００３８】
取り外し可能な差込具330及び332は、いずれも、一対の受け入れ凹陥部（それぞれ331及び333）をも有している。受け入れ凹陥部331及び333の長さ及び配置は、差込具330及び332が、それぞれ右側及び左側のフィンボックス300及び302に差し込まれた際に、受け入れ凹陥部が傾斜壁面部309の長さ及び配置に一致するようになっている。受け入れ凹陥部331及び333の内壁面336には、スロット338が設けられており、傾斜付きネジ切孔313を突き抜けるようにねじ込まれた取付けネジ339が、該スロット338を通り抜けて前後２部分構成のフィンタブに係合する。
【００３９】
受け入れ凹陥部331及び333の内壁面336は、傾斜壁面部309の傾斜と同じだけ傾斜しており、差込具が凹陥部308中に配置された際には、傾斜壁面部309と、受け入れ凹陥部331及び333の内壁面336とが平行となる。このように平行配置される一対の面の間隔は、図３の２部分構成フィンタブ42A及び42Bの厚みに一致する。
【００４０】
図１７Ｂ及び図１７Ｃの断面図から知られるように、これら２部分構成フィンタブがフィン342の中央面340から直線状に延びることから、これらフィン342は、サーフボードの下面322に対して外側への傾斜角を付けられている。そのため、２部分構成フィンタブ付きのフィンは、取り外し可能な差込具330を嵌め込んだ右側フィンボックス300に差し込まれた状態にて、サーフボードの右側へと傾斜する。同じフィンが、同様に、左側フィンボックス302及びこれに組み合わされた差込具332に差し込まれた際には、サーフボードの左側へと傾斜する。
【００４１】
図１７Ａ及び１７Ｃを参照するならば、中央のフィンボックス300の凹陥部308には傾斜壁面部が設けられておらず、向かい合う左右側部の内壁面が、平行であってサーフボードの下面322に対して垂直である。中央のフィンボックス300には、また、2つの傾斜付ネジ切孔317が設けられており、これらは、左右のフィンボックスに置ける傾斜付ネジ切孔313と同様に、凹陥部の長さ方向に沿って、間隔を置いて配列されている。但し、一つずつ、凹陥部308の左右に配置されている。
【００４２】
中央のフィンボックス300には、図１８Ａに示した取り外し可能な差込具350が設けられている。この差込具350は、左右のフィンボックスに差し込まれる前述の差込具330及び332と同様の外形及び寸法を有する。この取り外し可能な差込具350にも受け入れ凹陥部352が設けられており、これら受け入れ凹陥部352は、長さ方向に沿った寸法及び配置が、右側及び左側の差込具における受け入れ凹陥部331及び333と同様である。但し、受け入れ凹陥部352は、向かって奥側の壁面354が傾斜しておらず、差込具350が凹陥部308に差し込まれた際、面同士が平行の、垂直に配置されたスロット状の凹陥部をなす。
【００４３】
そのため、2部分構成フィンタブ付きのフィンは、取り外し可能な差込具350を備えた中央のフィンボックス300に装着されたならば、サーフボードの下面322に対して垂直となるであろう。中央フィンボックスに傾斜付きネジ切孔が配置されているので、後方の受け入れ凹陥部の壁にのみ、止めネジを通して固定するためのスロット356を設ける必要がある。
【００４４】
右側、中央及び左側のフィンボックスにおいて、それぞれの差込具330，350及び332を取り外すことで、フィンボックスは、図１９から知られるように、図３Ｃの形状構成のフィンタブを受け入れることができる。右側及び左側のフィンのそれぞれが、サーフボードの外側へと傾斜することから、図１１Ｄに示すようにフィンの面に対して傾斜したフィンタブを用いることもできる。
【００４５】
本発明の実施形態における、右側、中央及び左側のフィンボックスは、また、図12に示す形状のフィンタブ付のフィンを、受け入れて前後に調整を行うことを可能にする。これらのフィンは、右側、中央及び左側のフィンに特有のフィンタブを有しており、左右のフィンのフィンタブは、フィンのブレード部に対して傾斜している。その結果、フィンタブが、フィンボックスの凹陥部における、互いに平行で垂直を向く左右両側の壁面の間に保持されている際、フィンを、サーフボードの下面に対して外側へと傾斜した状態に位置決めすることができる。
【００４６】
フィンタブの長さを、フィンボックスの長さよりも約20mm短くすることによって、前後方向へのフィンタブの調整を行うことができる。図１９Ａ及び１９Ｂは、可能な最も前方の位置にあるフィン、及び、可能な最も後方の位置にあるフィンをそれぞれ示す。フィンタブ442は、フィンボックス中にて、前述の止めネジによって固定される。また、見て取ることができるように、フィンの前後の調整位置に関らず、フィンのブレード部は、フィンボックスの内側部分316により十分に支持されており、サーフボードの他の表面444に接触しない。
【００４７】
＜第３の好ましい実施形態＞
図２０及び２１を見るならば、本発明のさらに他の実施形態である本実施形態では、前述の第２の実施形態と同様、右側フィンボックス400、中央フィンボックス402及び左側フィンボックス404が備えられる。これらフィンボックスの外面形状は、図１７に示す第２の好ましい実施形態の場合と、いずれも同一である。
【００４８】
ところが、本実施形態では、各フィンボックスの中央の凹陥部408の長さは、図２１に示すように、2部分構成フィンタブ付きのフィン426における前方のフィンタブ421の前縁420から後方のフィンタブ423の後縁422までの長さと同一である。また、凹陥部の後方端壁面からは、何らの保持構造も突き出していない。
【００４９】
右側フィンボックス400及び左側フィンボックス404においては、中央の凹陥部408が、サーフボードの下面418に対して傾斜する互いに平行の、左右両側の壁面を備える。一方、中央フィンボックスにおける中央の凹陥部は、左右両側の壁面が、互いに平行に、垂直方向へと延びる。
【００５０】
図２１Ａ及び図２１Ｂを参照するならば、２部分構成フィンタブ付きのフィン526についての、フィンボックス中での前後方向の位置調整は、凹陥部の長さが、前方のフィンタブ521の前縁520から後方のフィンタブ523の後縁522までの距離よりも長いことにより実現可能となっている。そのため、図２１Ａ及び図２１Ｂに示すように、凹陥部530は、２部分構成のフィンタブ521及び523の全体の長さよりも10mm長く、フィン526について、図２１Ａに示す最も前方の位置と図２１Ｂに示す最も後方の位置との間の等分点から、プラスまたはマイナス5mmだけの位置調整を可能にする。ここでも、第１外面516の全体の長さ及び幅は、フィン526のいずれの部分もサーフボードの他の表面532に接触しないようにするものである。
【００５１】
＜第４の好ましい実施形態＞
図２２及び２３を参照すると、本発明の第４の好ましい実施形態では、右側、中央及び左側のフィンボックス600が互いに同一である。フィンボックス600の外面形状は、前述の第２及び第３の実施形態の場合と同様である。但し、凹陥部608は、さらにシンプルになっており、矩形状断面の凹陥部であって、互いに向き合う左右の壁面及び両端の壁面は、互いに平行であって、かつ、前記第１外面612に垂直に延びている。
【００５２】
本実施形態においてフィンボックスには、凹陥部の左右両側に、いずれも２つの傾斜付きネジ切孔617が設けられており、一体構成のフィンタブ620を保持するための止めネジ614を受け入れるのに適したものとなっている。
【００５３】
本実施形態のフィンボックスは、３フィン配列における左右のフィンにおいて、フィンタブがフィンの中央面に対して傾斜しているフィンタブ構成に適している。
【００５４】
＜使用状態＞
本発明のフィンボックスは、公知の方法によりサーフボードの本体に組み込むことができる。すなわち、サーフボードは、ガラスからなる材料で被覆する最終仕上げ工程の後、ガラス系表皮及び発泡体コア中へと機械研削を行うことにより適当な凹陥部を設けることができる。次いで、フィンボックスを差し込んで、適当な接着・結合剤でもって保持する。このような方法に代えて、空洞を、発泡体コア中に設けておき、ガラスからなる材料で被覆を行う前に、フィンボックスを差し込むことができる。この方法のためには、フィンボックスに、突起防壁240（図12及び15）を設けておき、樹脂が凹陥部224及び傾斜付きネジ切孔234及び235に流れ込まないようにする。
【図面の簡単な説明】
【００５５】
【図１】本発明の好ましい実施形態による、典型的な３フィン配列用のフィン取付け系統が嵌め込まれたサーフボードの下面図である。
【図２】図１のサーフボードを端部から見た、中央及び左右のフィンを示す端面図である。
【図３】本発明の好ましい態様のフィン取付け系統またはフィンボックスに嵌め込むことのできる４つの、フィン及びフィンタブの形状構成を示す、側面図及び平面図である。
【図４】中央のフィンボックスを下方から見た斜視図である。
【図５】図４のフィンボックス及び該フィンボックスに保持されたフィンについての断面図である。
【図６】図４及び図５のフィンボックスについての、側方から見た断面図である。
【図７】図６のフィンボックスについての平面図である。
【図８】図６及び７のフィンボックス用の差込具についての側面図及び斜視図である。
【図９】図６及び７のフィンボックスについて、図３のＡのフィンが嵌め込まれた状態を示す、端部から見た断面図である。
【図１０】図６及び７のフィンボックスについて、図３のＣのフィンが嵌め込まれた状態を示す、側面から見た断面図である。
【図１１Ａ】左側フィンボックスの平面図である。
【図１１Ｂ】図１１Ａのフィンボックスにおける長さ方向の各部分についての、一連の断面図である。
【図１１Ｃ】同一面方向のフィンタブを有するサイドフィンについての端面図である。
【図１１Ｄ】傾斜したフィンタブを有するサイドフィンについての端面図である。
【図１２】フィンを調整可能な本発明のフィンボックスについての好ましい形態を示す斜視図である。
【図１３】図１１Ａのフィンボックスに用いる差込具の斜視図である。
【図１４】図１３の差込具が差し込まれた状態の図１１Ａのフィンボックスについての断面図である。
【図１５】図３のＤのフィンを保持する系統を示す、図４のフィンボックスについての斜視図である。
【図１６】図４のフィンボックスに保持された図３のＤのフィンについての、端面から見た断面図である。
【図１７】左右及び中央のフィンボックスについての他の好ましい形態を示す平面図及び端面図である。
【図１７Ａ】図１７の、左右及び中央のフィンボックスについての、端面から見た断面図（１）である。
【図１７Ｂ】図１７、左右及び中央のフィンボックスについての、端面から見た断面図（２）である。
【図１７Ｃ】図１７の、左右及び中央のフィンボックスについての、端面から見た断面図（３）である。
【図１８】図１７及び図１７Ａ〜１７Ｃに示すいずれかのフィンボックスについての側面図である。
【図１８Ａ】図１７及び図１７Ａ〜１７Ｃに示すいずれかのフィンボックスに、差し込まれた差込具についての、詳細な斜視図（１）である。
【図１８Ｂ】図１７及び図１７Ａ〜１７Ｃに示すいずれかのフィンボックスに、差し込まれた差込具についての、詳細な斜視図（２）である。
【図１８Ｃ】図１７及び図１７Ａ〜１７Ｃに示すいずれかのフィンボックスに、差し込まれた差込具についての、詳細な斜視図（３）である。
【図１９】図１７及び図１７Ａ〜１７Ｃに示すいずれかのフィンボックスに、図３のＣのフィンタブ付きフィンが、差込具なしに差し込まれた状態の、側方から見た断面図である。
【図１９Ａ】フィンのフィンタブよりも長さ寸法の大きい凹陥部を有するフィンボックスであって、該フィンボックスにおける前後方向への位置調整が可能なものを示す断面図（１）である。
【図１９Ｂ】フィンのフィンタブよりも長さ寸法の大きい凹陥部を有するフィンボックスであって、該フィンボックスにおける前後方向への位置調整が可能なものを示す断面図（２）である。
【図２０】本発明の中央及び左右のフィンボックスについての、他の好ましい実施形態を示す、平面図及び端面から見た断面図である。
【図２１】２つのフィンタブを有するフィンが装着されたフィンボックスについての、さらに他の好ましい実施形態を示す側断面図である。
【図２１Ａ】２つのフィンタブを有するフィンがフィンボックスの凹陥部に装着された状態を示す側断面図であって、該凹陥部がフィンボックス中における前後方向へのフィンの調整を可能にする長さ寸法を有する場合について示す（１）。
【図２１Ｂ】２つのフィンタブを有するフィンがフィンボックスの凹陥部に装着された状態を示す側断面図であって、該凹陥部がフィンボックス中における前後方向へのフィンの調整を可能にする長さ寸法を有する場合について示す（２）。
【図２２】フィンボックスについての他の好ましい実施形態を示す、平面図及び端面から見た断面図である。
【図２３Ａ】図２２とともに、第４の好ましい実施形態を示す図である（１）。
【図２３Ｂ】図２２とともに、第４の好ましい実施形態を示す図である（２）。
【図１】
2008534337.tif 000003
【図２】
2008534337.tif 000004
【図３】
2008534337.tif 000005
【図４】
2008534337.tif 000006
【図５】
2008534337.tif 000007
【図６】
2008534337.tif 000008
【図７】
2008534337.tif 000009
【図８】
2008534337.tif 000010
【図９】
2008534337.tif 000011
【図１０】
2008534337.tif 000012
【図１１Ａ】
2008534337.tif 000013
【図１１Ｂ】
2008534337.tif 000014
【図１１Ｃ】
2008534337.tif 000015
【図１１Ｄ】
2008534337.tif 000016
【図１２】
2008534337.tif 000017
【図１３】
2008534337.tif 000018
【図１４】
2008534337.tif 000019
【図１５】
2008534337.tif 000020
【図１６】
2008534337.tif 000021
【図１７】
2008534337.tif 000022
【図１７Ａ】
2008534337.tif 000023
【図１７Ｂ】
2008534337.tif 000024
【図１７Ｃ】
2008534337.tif 000025
【図１８】
2008534337.tif 000026
【図１８Ａ】
2008534337.tif 000027
【図１８Ｂ】
2008534337.tif 000028
【図１８Ｃ】
2008534337.tif 000029
【図１９】
2008534337.tif 000030
【図１９Ａ】
2008534337.tif 000031
【図１９Ｂ】
2008534337.tif 000032
【図２０】
2008534337.tif 000033
【図２１】
2008534337.tif 000034
【図２１Ａ】
2008534337.tif 000035
【図２１Ｂ】
2008534337.tif 000036
【図２２】
2008534337.tif 000037
【図２３Ａ】
2008534337.tif 000038
【図２３Ｂ】
2008534337.tif 000039
【国際調査報告】
2008534337.tif 000040
2008534337.tif 000041
2008534337.tif 000042